(57)【要約】【課題】ランプの使用を円滑に管理できる映像表示装置およびそのためのランプユニットを提供する。【解決手段】ランプユニット１０ａ、１０ｂにはランプ管理情報を書き込みおよび読み出し可能に保持する記憶部７１ａ、７１ｂが配されている。プロジェクタ本体側の通信制御部６１は、使用対象のランプユニット１０ａ、１０ｂからランプ管理情報を読み出して記憶部６２に格納する。ランプユニット１０ａ、１０ｂの使用状況に応じてランプ管理情報が更新され、更新されたランプ管理情報が、対応するランプユニット１０ａ、１０ｂの記憶部７１ａ、７１ｂに書き戻される。【選択図】図１１
2010113091.tif 000002
【特許請求の範囲】
【請求項１】
ランプを保持するランプホルダと、
前記ランプホルダに配されたランプ側回路部と、
前記ランプホルダを着脱可能に収容するホルダ収容部と、
本体側に配された本体側回路部と、
前記ランプ側回路部と前記本体側回路部とを電気的に接続するコネクタ部と、
を備え、
前記ランプ側回路部は、前記ランプを管理するためのランプ管理情報を書き込みおよび読み出し可能に記憶する記憶部を有し、
前記本体側回路部は、
前記記録部から前記ランプ管理情報を読み出して当該ランプの使用状況に応じて前記ランプ管理情報を更新する情報更新部と、
更新された前記ランプ管理情報を前記記憶部に書き戻す更新記憶部と、を有する、
ことを特徴とする映像表示装置。
【請求項２】
請求項１に記載の映像表示装置において、
前記ランプ管理情報は、当該ランプの使用積算時間に関する積算時間情報を含み、
前記情報更新部は、当該ランプの使用状況に応じて前記積算時間情報を更新し、
前記更新記憶部は、更新された前記積算時間情報を前記記憶部に書き戻す、
ことを特徴とする映像表示装置。
【請求項３】
請求項１または２に記載の映像表示装置において、
前記ランプ管理情報は、当該ランプの使用の可否に関する使用可否情報を含み、
前記情報更新部は、当該ランプの使用状況に応じて前記使用可否情報を更新し、
前記更新記憶部は、更新された前記使用可否情報を前記記憶部に書き戻す、
ことを特徴とする映像表示装置。
【請求項４】
請求項３に記載の映像表示装置において、
前記本体側回路部は、前記使用可否情報に基づいて当該ランプの使用の可否を判定する使用判定部を有する、
ことを特徴とする映像表示装置。
【請求項５】
請求項１ないし４の何れか一項に記載の映像表示装置において、
前記ランプ管理情報は、当該ランプを識別するためのランプ識別情報を含み、
前記本体側回路部は、前記ランプ識別情報に基づいて当該ランプが使用可能なランプであるかを判定するランプ判定部を有する、
ことを特徴とする映像表示装置。
【請求項６】
ランプを保持するランプホルダと、
前記ランプホルダに配されたランプ回路部と、
前記ランプ回路部を本体側の回路部に電気的に接続するためのコネクタ部と、
を備え、
前記ランプ側回路部は、前記ランプを管理するためのランプ管理情報を書き込みおよび読み出し可能に記憶する記憶部を有する、
ことを特徴とするランプユニット。
【請求項７】
請求項６に記載のランプユニットにおいて、
前記ランプ管理情報は、当該ランプの使用積算時間に関する積算時間情報を含む、
ことを特徴とするランプユニット。
【請求項８】
請求項６または７に記載のランプユニットにおいて、
前記ランプ管理情報は、当該ランプの使用の可否に関する使用可否情報を含む、
ことを特徴とするランプユニット。
【請求項９】
請求項６ないし８の何れか一項に記載のランプユニットにおいて、
前記ランプ管理情報は、当該ランプを識別するためのランプ識別情報を含む、
ことを特徴とするランプユニット。
【発明の詳細な説明】
【技術分野】
【０００１】
本発明は、映像表示装置および当該映像表示装置に装着されるランプユニットに関し、特に、ランプユニットが取り換え可能な場合に用いて好適なものである。
【背景技術】
【０００２】
現在、画像をスクリーンに拡大投写する投写型の映像表示装置（以下、「プロジェクタ」という）が商品化され広く普及している。かかるプロジェクタでは、一般に、光源としてランプが使用されており、ランプからの光が光変調素子によって変調されてスクリーンに投写される。
【０００３】
この場合、投写動作の途中でランプが切れると、画像の表示が中断されてしまう。このような事態に対処するために、プロジェクタでは、通常、ランプが交換可能となっている。
【０００４】
簡易な作業によりランプ交換が可能となれば、プロジェクタの使用場面に応じて適宜ランプが交換されることも想定される。たとえば、プロジェクタを用いてプレゼンテーションを行う場合、練習中には古いランプを使用し、本番では高輝度の新しいランプを使用するといったことがなされ得る。
【０００５】
ランプ交換が頻繁に起こると、ランプ毎に、寿命やプロジェクタへの適合性などを管理する必要がある。以下の特許文献１には、プリンタに適合するかを示す情報をトナーカートリッジに保持させておき、トナーカートリッジ装着時にプリンタがこの情報を読み取って、トナーカートリッジの適合性を判別する構成が記載されている。
【特許文献１】特開２００４−１４５１７０号公報
【発明の開示】
【発明が解決しようとする課題】
【０００６】
上記特許文献１に記載の技術をランプに転用する場合には、ランプがプロジェクタに適合するかを示す情報をランプに保持させる構成が考えられる。しかしながら、この構成では、使用状況に応じたランプの管理を行い得ない。通常、ランプは、使用状況に応じて劣化が進む。よって、ランプが頻繁に交換される場合には、過去の使用経歴を反映した情報をランプに保持させ、その情報をもとに、ランプの点灯等を適正に制御する必要がある。
【０００７】
本発明は、この点に鑑みてなされたものであり、ランプの使用を円滑に管理できる映像表示装置およびそのためのランプユニットを提供することを目的とする。
【課題を解決するための手段】
【０００８】
本発明の第１の態様は、映像表示装置に関する。本態様に係る映像表示装置は、ランプを保持するランプホルダと、前記ランプホルダに配されたランプ側回路部と、前記ランプホルダを着脱可能に収容するホルダ収容部と、本体側に配された本体側回路部と、前記ランプ側回路部と前記本体側回路部とを電気的に接続するコネクタ部とを備える。ここで、前記ランプ側回路部は、前記ランプを管理するためのランプ管理情報を書き込みおよび読み出し可能に記憶する記憶部を有する。また、前記本体側回路部は、前記記録部から前記ランプ管理情報を読み出して当該ランプの使用状況に応じて前記ランプ管理情報を更新する情報更新部と、更新された前記ランプ管理情報を前記記憶部に書き戻す更新記憶部とを有する。
【０００９】
本態様に係る映像表示装置によれば、ランプ側にランプ管理情報を記憶する記憶部が配され、当該記憶部に保持されたランプ管理情報がランプの使用状況に応じて更新される。よって、過去の使用経歴を反映したランプ管理情報をランプに保持させることができ、その情報をもとに、ランプの点灯等を適正に制御することができる。
【００１０】
第１の態様に係る映像表示装置において、前記ランプ管理情報は、当該ランプの使用積算時間に関する積算時間情報を含み得る。この場合、前記情報更新部は、当該ランプの使用状況に応じて前記積算時間情報を更新する。また、前記更新記憶部は、更新された前記積算時間情報を前記記憶部に書き戻す。こうすると、過去の使用履歴として当該ランプの使用積算時間をランプに保持させることができ、これをもとに、ランプの寿命等を判定することができる。
【００１１】
また、第１の態様に係る映像表示装置において、前記ランプ管理情報は、当該ランプの使用の可否に関する使用可否情報を含み得る。この場合、前記情報更新部は、当該ランプの使用状況に応じて前記使用可否情報を更新する。また、前記更新記憶部は、更新された前記使用可否情報を前記記憶部に書き戻す。こうすると、過去の使用履歴として当該ランプの使用の可否をランプに保持させることができる。さらに、この場合、前記本体側回路部は、前記使用可否情報に基づいて当該ランプの使用の可否を判定する使用判定部を有する構成とされ得る。こうすると、ランプの使用可否の判定結果をもとに、ランプの無駄な点灯動作等を回避することができる。
【００１２】
また、第１の態様に係る映像表示装置において、前記ランプ管理情報は、当該ランプを識別するためのランプ識別情報を含み得る。この場合、前記本体側回路部は、前記ランプ識別情報に基づいて当該ランプが使用可能なランプであるかを判定するランプ判定部を有する。こうすると、映像表示装置は、ランプ識別情報をもとに、当該ランプが自身に適合するかを判定することができる。その結果、不適合なランプに対する点灯動作を回避でき、ランプの破損等を未然に防止できる。
【００１３】
本発明の第２の態様は、ランプユニットに関する。この態様に係るランプユニットは、上記第１の態様に係る映像表示装置のうちランプユニットに係る特徴を抽出したものである。
【００１４】
すなわち、本態様に係るランプユニットは、ランプを保持するランプホルダと、前記ランプホルダに配されたランプ回路部と、前記ランプ回路部を本体側の回路部に電気的に接続するためのコネクタ部とを備える。ここで、前記ランプ側回路部は、前記ランプを管理するためのランプ管理情報を書き込みおよび読み出し可能に記憶する記憶部を有する。
【００１５】
また、本態様に係るランプユニットにおいて、前記ランプ管理情報は、当該ランプの使用積算時間に関する積算時間情報を含み、当該ランプの使用の可否に関する使用可否情報を含み、あるいは、当該ランプを識別するためのランプ識別情報を含み得る。
【００１６】
本態様に係るランプユニットは、上記第１の態様に係る映像表示装置に組み合わせて使用されることにより、上記第１の態様に係る映像表示装置について述べたと同様の効果を奏し得る。
【００１７】
なお、上記態様において、「使用積算時間」とは、ランプユニットが製造後最初に使用され始めた後のトータルの使用時間であって、最初に使用された後、現在までに点灯した時間を全て加算したものである。
【発明の効果】
【００１８】
以上のとおり本発明によれば、ランプの使用を円滑に管理できる映像表示装置およびそのためのランプユニットを提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２０】
以下、図面を参照して、実施の形態に係るプロジェクタの構成を説明する。なお、本実施の形態に係るプロジェクタは、照明装置の光源として２つのランプユニットを有している。
【００２１】
図１は、プロジェクタの構成を示す図（外観斜視図）である。プロジェクタは、キャビネット１を備えている。キャビネット１は、上下に薄く前後に長い略直方体形状を有しており、その側面には、キャビネット１内部に外気を取り込むための吸気口５が形成されている。なお、キャビネット１の裏面には図示しないランプカバーが開閉可能に配され、ユーザは、適宜、このランプカバーを開放してランプユニットを交換することができる。
【００２２】
キャビネット１内には、光学エンジン２、投写レンズ３、および冷却装置４が配されている。光学エンジン２は、映像信号により変調された光（映像光）を生成する。光学エンジン２には、投写レンズ３が装着されており、投写レンズ３の前部が、キャビネット１の前面から露出している。光学エンジン２で生成された映像光は、投写レンズ３によって、プロジェクタ前方に配されたスクリーン面に投写される。冷却装置４は、吸気口５から外気を取り込み、この外気を冷却風として光学エンジン２に供給する。
【００２３】
図２は、光学エンジンの構成を示す図である。同図において、１０は、２つのランプユニット１０ａ、１０ｂとミラーユニット１０ｃを有する照明装置である。ランプユニット１０ａ、１０ｂは、超高圧水銀ランプ、メタルハライドランプ、キセノンランプ等からなるランプを備えている。ランプユニット１０ａ、１０ｂからの光は、リフレクタの作用により略平行光となって出射される。なお、ランプユニット１０ａ、１０ｂの構成は、追って詳述する。
【００２４】
ミラーユニット１０ｃには、同図Ｘ−Ｚ平面に平行に回動可能なミラーが配されている。ミラーは、ランプユニット１０ａの起動時にはランプユニット１０ａからの光をフライアイインテグレータ１１へと導き、ランプユニット１０ｂの起動時にはランプユニット１０ｂからの光をフライアイインテグレータ１１へと導くよう回動される。ミラーユニット１０ｃの構成は、追って、図３ないし図５を参照して説明する。
【００２５】
照明装置１０からの光は、フライアイインテグレータ１１を介して、ＰＢＳ（偏光ビームスプリッタ）アレイ１２およびコンデンサレンズ１３に入射される。フライアイインテグレータ１１は、蝿の目状のレンズ群からなる第１および第２のフライアイレンズを備え、液晶パネル１８、２４、３３に入射する際の光量分布が均一となるよう、照明装置１０から入射される光に光学作用を付与する。
【００２６】
ＰＢＳアレイ１２は、複数のＰＢＳと１／２波長板がアレイ状に配列されたものであり、フライアイインテグレータ１１から入射された光の偏光方向を一方向に揃える。コンデンサレンズ１３は、ＰＢＳアレイ１２から入射された光に集光作用を付与する。コンデンサレンズ１３を透過した光は、ダイクロイックミラー１４に入射する。
【００２７】
ダイクロイックミラー１４は、コンデンサレンズ１３から入射された光のうち、青色波長帯の光（以下、「Ｂ光」という）のみを透過し、赤色波長帯の光（以下、「Ｒ光」という）と緑色波長帯の光（以下、「Ｇ光」という）を反射する。ダイクロイックミラー１４を透過したＢ光は、ミラー１５よって反射されコンデンサレンズ１６に入射される。
【００２８】
コンデンサレンズ１６は、Ｂ光が略平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム２０に入射される。
【００２９】
ダイクロイックミラー１４によって反射された光のうちＧ光は、ダイクロイックミラー２１によって反射され、コンデンサレンズ２２に入射される。コンデンサレンズ２２は、Ｇ光が略平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００３０】
ダイクロイックミラー２１を透過したＲ光は、コンデンサレンズ２６に入射される。コンデンサレンズ２６は、Ｒ光が略平行光で液晶パネル３３に入射するよう、Ｒ光に光学作用を付与する。コンデンサレンズ２６を透過したＲ光は、光路長調整用のリレーレンズ２７、２９、３１と２つのミラー２８、３０からなる光路を進み、入射側偏光板３２を介して液晶パネル３３に入射される。液晶パネル３３は、赤色用の映像信号に応じて駆動され、その駆動状態に応じてＲ光を変調する。液晶パネル３３によって変調されたＲ光は、出射側偏光板３４を介して、ダイクロイックプリズム２０に入射される。
【００３１】
ダイクロイックプリズム２０は、液晶パネル１８、２４、３３によって変調されたＢ光、Ｇ光およびＲ光を色合成し、投写レンズ３へと入射させる。投写レンズ３は、投写光を被投写面上に結像させるためのレンズ群と、これらレンズ群の一部を光軸方向に変位させて投写画像のズーム状態およびフォーカス状態を調整するためのアクチュエータを備えている。ダイクロイックプリズム２０によって色合成された光は、投写レンズ３によって、スクリーン上に拡大投写される。
【００３２】
次に、図３を参照して、ミラーユニット１０ｃの構成について説明する。
【００３３】
図３は、ミラーユニット１０ｃの構成を示す斜視図である。
【００３４】
同図において、ベース１００は、上板部１０１、下板部１０２、背板部１０３および２つの壁部１０４を備えている。これら上板部１０１、下板部１０２、背板部１０３および２つの壁部１０４は、アルミダイキャストにより一体形成されている。また、２つの壁部１０４の間には、上板部１０１へと繋がる凹部１０５が配されている。下板部１０２と上板部１０１は互いに平行となっている。下板部１０２と上板部１０１の間にミラーホルダ２００が回動可能に配される。
【００３５】
２つの壁部１０４と背板部１０３の内側面には、調節板２０３よりやや大きめの輪郭の凹部が成され、この凹部に、調節板２０３が嵌め込まれネジ止めされている。調節板２０３は、中央部が背板部１０３にネジ止めされ、２つの壁部１０４に対応する部分が弾性変位可能に壁部１０４に押し付けられている。調節板２０３は、可撓性のある金属性の薄板からなっている。また、２つの壁部１０４の外側面には調節ネジ２０４が螺着され、これら調節ネジ２０４の先端がそれぞれ調節板２０３に当接している。
【００３６】
なお、２つの壁部１０４は、ミラーユニット１０ｃが図２の光学エンジンに配置されたときに、各内側面が、それぞれ、ランプユニット１０ａ、１０ｂからの光の進行方向に対して略４５°の角度で傾くように形成されている。
【００３７】
ミラーホルダ２００には、ミラー２０１が装着されている。また、ミラーホルダ２００の上下の面には、それぞれ同軸となる位置に、軸２０２が突設されている。ミラーホルダ２００の下面に配された軸２０２は下板部１０２に配された軸穴に嵌合し、上面に配された軸２０２は軸受けを介してトルクリミッタ４０２に装着されている。
【００３８】
上板部１０１の上面には、ボスを介して基板３００が装着されている。基板３００には、下面に２つの検出スイッチ３０１、３０２が装着されている。これら検出スイッチ３０１、３０２は、ミラーホルダ２００が回動終端位置にあるときに、ミラーホルダ２００上面の突起（図示せず）に押されてＯＮされる。
【００３９】
駆動部４００は、トルクリミッタ４０２が配されたギア４０１と、ギア４０３と、モータ４０４と、モータ４０４の駆動軸に装着されたギア（図示せず）と、カバー４０５と、下板部１０２側に配されたコイルバネ４０６を備えている。トルクリミッタ４０２は、一定以上のトルクが掛かったときにギア４０１を空転させる。ギア４０３はカバー４０５に回動可能に装着されている。また、カバー４０５には、トルクリミッタ４０２の軸４０２ａと係合する軸穴が形成されている。カバー４０５は、壁部１０４の外側面に形成されたボスにネジ止めされている。モータ４０４は、２つの壁部１０４の間に配された凹部１０５に装着されている。
【００４０】
モータ４０４からの駆動力は、モータ４０４の駆動軸に装着されたギアと、ギア４０３、４０１を介してトルクリミッタ４０２に伝達され、さらに、トルクリミッタ４０２に装着されたミラーホルダ２００上面の軸２０２に伝達される。これにより、ミラーホルダ２００とともにミラー２０１が回動する。
【００４１】
下板部１０２の裏側には、コイルバネ４０６が装着されている。コイルバネ４０６は、ミラーホルダ２００の下面に形成された鉤部と下板部１０２の裏面に形成された鉤部の間に両端が係止されるようにしてミラーユニット１０ｃに取り付けられている。コイルバネ４０６は、図３（ａ）の状態では、同図手前の壁部１０４に押し付ける方向にミラーホルダ２００を付勢し、図３（ｂ）の状態では、同図奥側の壁部１０４に押し付ける方向にミラーホルダ２００を付勢する。
【００４２】
ミラーホルダ２００の回動終了位置は、調整ネジ２０４による調節板２０３の持ち上げ量によって調整され得る。ミラーユニット１０ｃが図２に示す光学エンジンに組み込まれた際には、各ランプユニット１０ａ、１０ｂからの光がともにフライアイインテグレータ１１に適正に向かうよう、調整ネジ２０４による調節板２０３の持ち上げ量が調整される。
【００４３】
同図（ａ）の状態にあるときには、ランプユニット１０ｂからの光がミラー２０１により反射されてフライングアイインテグレータ１１へと導かれる。この状態から、使用するランプユニットを切り替える場合には、モータ４０４を駆動してミラーユニット２００を反時計方向に回動させる。この回動は、検出スイッチ３０２がＯＮされてから一定時間が経過するまで継続される。
【００４４】
この間に、ミラーユニット２００が調節板２０３に押し付けられ、ミラー２０１が同図（ｂ）に示す位置に位置づけられる。なお、かかる押し付けの際、トルクリミッタ４０２の作用によりギア４０１が空転する。こうして、ミラーユニット２００が同図（ｂ）の状態に位置づけられ、ランプユニット１０ａからの光がミラー２０１により反射されてフライングアイインテグレータ１１へと導かれるようになる。なお、同図（ｂ）の状態から同図（ａ）の状態にミラーユニット１０ｃを切り替える場合、モータ４０４の駆動方向が上記と逆である他は、上記と同様の動作が行われる。
【００４５】
次に、図４ないし図８を参照して、ランプユニットの構成およびランプユニットの取り付け方法について説明する。なお、以下では１つのランプユニットを例に挙げて説明を行うが、以下に示すランプユニットの構成および取り付け方法は、図２に示す２つのランプユニット１０ａ、１０ｂの双方に適用されるものである。
【００４６】
図４は、ランプユニットとその取り付け部分の構成を示す図である。ランプユニットは、ランプ５００と、ランプ５００を保持するランプホルダ６００と、回路基板７００とを備えている。また、本体シャーシ側には、ランプホルダ６００を収容するホルダ収容部８００と、回路基板９００が配されている。なお、上記ミラーユニット２００は、図中のミラーユニット装着部８３０に装着される。
【００４７】
ランプホルダ６００は、ランプ５００が装着されるボックス部６１０を備え、ボックス部６１０の前面には、ランプ５００からの光を前方に導くための開口６１１が形成されている。また、ボックス部６１０の前面上部には、前方へ突出する鍔部６２０が形成され、この鍔部６２０に孔６２１が形成されている。さらに、ボックス部６１０の前面上部には、下方に突出する２つのピン６２２が形成されている。また、ボックス部６１０の後面上部には、後方へ突出するＬ字状の鍔部６３０が形成され、この鍔部６３０に、基板保持部６４０が延設されている。
【００４８】
図５（ａ）は、基板保持部６４０の拡大図である。基板保持部６４０には、上下に貫通する開口６４１が形成されており、また、上面に、Ｘ軸方向およびＹ軸方向に回路基板７００を係止するＬ字状の係止部６４２が形成されている。また、基板保持部６４０には、ネジ７１０が螺合するネジ穴６４３が形成されている。さらに基板保持部６４０の上面には、回路基板７００周縁が載置される載置部６４４が形成されている。
【００４９】
図６は、回路基板７００の構成を示す図である。同図（ａ）、（ｂ）は、それぞれ回路基板７００の上面図および裏面図である。回路基板７００には、２つの孔７０１が形成され、また、側面のネジ７１０に対応する位置に切り欠き７０２が形成されている。さらに、回路基板７００には、基板保持部６４０の係止部６４２に対応する位置に切り欠き７０３、７０４が形成されている。回路基板７００の裏面には、ＩＣを含む回路部７０５と、回路部７０５に電気的に接続されたコネクタ７０６が配されている。
【００５０】
図５（ａ）を参照して、回路基板７００は、切り欠き７０３、７０４を係止部６４２に嵌め込みながら周縁を載置部６４４に載せると、Ｘ軸方向とＺ軸方向に所定のストロークだけ変位可能となる輪郭形状を有している。また、載置部６４４は、このように回路基板７００が変位しても、回路基板７００が開口６４１内に落ち込まないような幅をもっている。
【００５１】
図４に戻り、ホルダ収容部８００は、前面および上面が開放さられたボックス装着部８１１を備え、このボックス装着部８１１に、ランプホルダ６００側のボックス部６１０が装着される。ボックス装着部８１１の前側上部には、ランプホルダ６００側の２つの孔６２１とそれぞれ係合するピン８１２が形成されている。また、ボックス装着部８１１の前側底部には、ランプホルダ６００側の２つのピン６２２とそれぞれ係合する孔８１３（図４には図示せず。図７参照）が形成されている。さらに、ボックス装着部８１１には、ランプホルダ６００の装着時にボックス部６１０の背面を係止してランプホルダ６００を案内する一対のガイド部８１４が上下方向に延びるように形成されている。また、ボックス装着部８１１の２つの壁には、ボックス装着部８１１内に風を通すための通気口８１５が形成されている。
【００５２】
ホルダ収容部８００には、ランプホルダ６００の装着時にランプホルダ６００側の基板保持部６４０に対向する位置に基板保持部８２０が形成されている。
【００５３】
図５（ｂ）は、基板保持部８２０の拡大図である。基板保持部８２０は、凹部８２１と、凹部８２１に突設された２つのピン８２２およびネジ穴８２３とを有する。また、凹部８２１を囲む壁のうちネジ穴８２３近傍の壁に切り欠き８２４が形成されている。
【００５４】
回路基板９００には、基板保持部８２０側の２つのピン８２２とそれぞれ係合する切り欠き９０１と孔９０２が形成されている。また、回路基板９００の上面には、ランプホルダ６００側に配された回路基板７００上のコネクタ７０６と接合するコネクタ９０３と、コネクタ９０３をメイン基板に電気的に接合するためのコネクタ９０４が装着されている。かかる回路基板９００は、ネジ９０５をネジ穴８２３に螺着することにより、基板保持部８２０に装着される。
【００５５】
図４に戻り、ランプユニットの取り付け時には、まず、ランプ５００がランプホルダ６００のボックス部６１０に装着される。次に、回路基板７００がランプホルダ６００の基板保持部６４０に装着される。図５（ａ）を参照して、回路基板７００の装着は、切り欠き７０３、７０４をＬ字状の係止部６４２に嵌め込みながら、回路基板７００を載置部６４４に載置し、さらに、ネジ７１０をネジ穴６４３に螺合させることにより行われる。このとき、ネジ７１０は、回路基板７００の上面との間に僅かに隙間があるようにネジ穴６４３に螺合される。これにより、回路基板７００は、Ｘ軸方向およびＺ軸方向に所定のストロークだけ変位可能な状態で、基板装着部６４０に装着される。
【００５６】
図４に戻り、一方、本体シャーシ側では、基板保持部８２０に回路基板９００が装着される。図５（ｂ）を参照して、回路基板９００の装着は、切り欠き９０１と孔９０２をそれぞれ２つのピン８２２に嵌合させながら、回路基板９００を切り欠き８２４と、ピン８２２根本の台座部８２２ａに載せる。台座部８２２ａ上面と切り欠き８２４上面は同じ高さとなっている。しかる後、ネジ９０５をネジ穴８２３に螺着する。
【００５７】
ここで、切り欠き９０１と孔９０２は、略遊びなくピン８２２に係合する。よって、上記のように回路基板を切り欠き８２４と、ピン８２２根本の台座部８２２ａに載せると、回路基板９００は、基板保持部８２０に対して、Ｘ軸方向およびＺ軸方向に位置決めされる。また、ネジ９０５は、回路基板９００上面に圧接されるまでネジ穴８２３に螺着される。これにより、回路基板９００は、Ｙ軸方向にも変位不能となり、Ｙ軸方向に位置決めされる。
【００５８】
図７は、２つの回路基板７００、９００が、それぞれ基板保持部６４０、８２０に装着された状態を示す図である。しかる後、ランプホルダ６００は、ボックス部６１０背面を、ガイド部８１４に当接させながら、ボックス装着部８１１内に押し込むことにより、ホルダ収容部８００に取り付けられる。
【００５９】
なお、ボックス装着部８１１の前方内側面とガイド部８１４の間の距離は、ボックス部６１０のＸ軸方向の長さより僅かに大きくなっている。よって、ランプホルダ６００は、ボックス部６１０背面を、ガイド部８１４に当接させながら、ボックス装着部８１１内に押し込むことにより、ホルダ収容部８００の所定の位置に収容される。
【００６０】
こうしてランプホルダ６００をボックス装着部８１１に押し込むと、ランプホルダ６００がホルダ収容部８００内の所定の位置に到達する手前で、ホルダ収容部８００側の２つのピン８１２の先端がランプホルダ６００側の２つの孔６２１に挿入され、また、ランプホルダ６００側の２つのピン６２２の先端がホルダ収容部８００側の２つの孔８１３に挿入される。このとき、同時に、基板保持部８２０に突設された２つのピン８２２の先端が、回路基板７００の２つの孔７０１に挿入される。
【００６１】
ここで、ピン８１２、６２２は、何れも、端部が先細りとなっているため、この状態からさらにランプホルダ６００がボックス装着部８１１に押し込まれると、ランプホルダ６００は、これらピン８１２、６２２先端の傾斜に案内されて所定の位置に位置づけられる。こうして、ランプホルダ６００に装着されたランプ５００の光軸が、後段の光学系に対して適正化される。
【００６２】
また、ピン８２２の端部にも、先細りとなった傾斜部８２２ｂ（図５（ｂ）参照）が形成されているため、上記のようにピン８２２が孔７０１に挿入された状態からさらにランプホルダ６００がボックス装着部８１１に押し込まれると、回路基板７００は、ピン８２２先端の傾斜部８２２ｂに案内されてＸ軸方向およびＺ軸方向に変位する。これにより、回路基板７００に配されたコネクタ７０６が、回路基板９００側のコネクタ９０３に正しく向き合うようになり、その後、さらにランプホルダ６００が押し込まれることで、コネクタ７０６とコネクタ９０３の接合がなされる。
【００６３】
図８（ａ）は、ランプホルダ６００がボックス装着部８１１に完全に押し込まれたときの状態を示す図である。図８（ｂ）は、そのときの基板収容部６４０、８２０近傍の状態を示す斜視図であり、図８（ｃ）は、図８（ｂ）において基板７００を取り除いた状態の斜視図である。
【００６４】
図示の如く、ランプホルダ６００がボックス装着部８１１に完全に押し込まれた状態において、ランプ５００の位置決めがなされ、かつ、回路基板７００のコネクタ７０６と回路基板９００のコネクタ９０３が接合される。
【００６５】
図９は、図８（ｂ）のＡ−Ａ’断面図である。ピン８２２の長さは、回路基板７００上のコネクタ７０６に、回路基板９００上のコネクタ９０３が接合し始めるよりも前に、ピン８２２の先端より根本の部分が回路基板７００の孔７０１に嵌合するような長さに設計される。こうすることで、コネクタ７０６とコネクタ９０３が接合し始める際には両コネクタ間の位置決めが完了した状態となり、コネクタ７０６とコネクタ９０３を円滑に接合することができる。
【００６６】
図１０に、本実施の形態に係るプロジェクタの回路構成を示す。なお、同図には、ランプユニット１０ａ、１０ｂとミラーユニット１０ｃに関連する構成のみが示され、その他の構成は割愛されている。
【００６７】
ランプ電源５１は、コントローラ５４からの制御信号に応じて、リレー回路５２にランプ駆動用の電力を供給する。また、ランプ電源５１は、ランプ５００に印加される電圧を監視して、ランプが点灯しているかを判定し、その判定結果をコントローラ５４に供給する。具体的には、印加電圧が所定の閾値未満にあるときにランプが点灯していることを示す判定結果をコントローラ５４に供給し、印加電圧が所定の閾値を超えたときにランプが消灯していることを示す判定結果をコントローラ５４に供給する。
【００６８】
リレー回路５２は、ランプユニット１０ａ、１０ｂのうち、コントローラ５４から指示された方のランプに、ランプ電源５１からの電力を供給する。なお、リレー回路５２には、ミラーユニット１０ｃに配された上記検出スイッチ３０１、３０２からの信号が入力されている。ミラーユニット１０ｃ内のミラー２０１がランプユニット１０ａの方に向けられているときには検出スイッチ３０１がオンされて、検出スイッチ３０１からＯＮ信号がリレー回路５２に入力される。他方、ミラー２０１がランプユニット１０ｂの方に向けられているときには検出スイッチ３０２がオンされて、検出スイッチ３０２からのＯＮ信号がリレー回路５２に入力される。
【００６９】
リレー回路５２は、ランプユニット１０ａに電力供給するための制御信号がコントローラ５４から入力されても、検出スイッチ３０１からＯＮ信号が入力されていなければ、ランプ電源５１からの電力をランプユニット１０ａに供給せず、同様に、ランプユニット１０ｂに電力供給するための制御信号がコントローラ５４から入力されても、検出スイッチ３０２からＯＮ信号が入力されていなければ、ランプ電源５１からの電力をランプユニット１０ｂに供給しないよう回路構成されている。
【００７０】
ミラードライバ５３は、コントローラ５４からの制御信号に応じて、ミラーユニット１０ｃを駆動する。ミラーユニット１０ｃの駆動時に、コントローラ５４は、ミラーユニット１０ｃ内に配された上記検出スイッチ３０１、３０２からの信号を監視する。そして、当該駆動方向の検出スイッチからＯＮ信号が入力された後、一定期間に亘って、当該駆動方向にミラー２０１をさらに駆動するための制御信号をミラードライバ５３に供給する。これにより、ミラー２０１が確実に、所期の切り替え位置に位置づけられる。
【００７１】
なお、かかる制御が実行されると、モータ４０４は、ミラーホルダ２００の背面が調節板２０３に当接した後も、引き続き駆動され続ける。しかし、この場合、上記の如くトルクリミッタ４０２によってモータ４０４の駆動力が吸収されるため、モータ４０４の過負荷による損傷やミラーホルダ２００の歪によるミラー２０１の角度ずれ等の問題は起こらない。
【００７２】
コントローラ５４は、ＣＰＵ（図示せず）とスイッチ５４ａを備え、予め格納された制御プログラムに従って各部を制御する。スイッチ５４ａは、ランプユニット１０ａ、１０ｂにそれぞれ配された回路部７０５のうち何れか一方をコントローラ５４内のデータバスに接続する。コントローラ５４は、スイッチ５４ａを切り替えて、ランプユニット１０ａ、１０ｂに配された回路部７０５のうち何れか一方と通信路を確立する。そして、当該通信路を介して、回路部７０５からランプ管理情報を取得し、取得した管理情報を、メモリ５５に格納する。
【００７３】
なお、コントローラ５４と、ランプユニット１０ａ、１０ｂに配された回路部７０５との間の通信に関する構成およびその制御動作については、追って、図１１および図１２を参照して詳述する。
【００７４】
図１０の構成において、一方のランプの駆動時に、当該ランプが切れると、これを示す信号がランプ電源５１からコントローラ５４に入力される。これに応じて、コントローラ５４は、ランプ電源５１に給電を停止させ、その後、他方のランプからの光を反射する位置にミラー２０１を回動させるための制御信号をミラードライバ５３に供給する。これにより、ミラー２０１が回動される。
【００７５】
その後、ミラー２０１が適正位置まで回動されると、検出スイッチ３０１、３０２の何れか一方からＯＮ信号がコントローラ５４に供給される。コントローラ５４は、ＯＮ信号を受信してから上記一定期間が経過した後、ランプ電源５１に給電開始の制御信号を出力し、同時に、リレー回路５２に、他方のランプに電力を供給するための制御信号を出力する。これにより、他方のランプが点灯し、画像の投写が再開される。
【００７６】
次に、図１１を参照して、コントローラ５４と、ランプユニット１０ａ、１０ｂに配された回路部７０５との間の通信に関連する構成について説明する。
【００７７】
同図（ａ）は、コントローラ５４と回路部７０５のシステムブロック図、同図（ｂ）は、記憶部７１ａ、７１ｂに格納されるランプ管理情報の内容を示す図、同図（ｃ）は、ランプ管理情報のうち使用経歴データの構成を示す図である。なお、同図（ａ）では、スイッチ５４ａと回路部７０５との間に介在するコネクタ７０６、９０３や、中間的な回路基板９００が図示省略されている。
【００７８】
同図（ａ）に示す如く、ランプユニット１０ａ、１０ｂの回路部７０５は、制御部７０ａ、７０ｂと、記憶部７１ａ、７１ｂを備えている。制御部７０ａ、７０ｂは、記憶部７１ａ、７１ｂに対するデータの書き込み／読出しを制御する。記憶部７１ａ、７１ｂは、ランプ管理情報として同図（ｂ）に示すデータを格納する。
【００７９】
ここで、ランプ識別情報は、ランプユニット１０ａ、１０ｂに装着されたランプ５００を識別するためのデータで、たとえば、ランプ５００のメーカ名や型式等に関するデータを含んでいる。積算時間データは、ランプ５００の使用積算時間を示すデータである。なお、「使用積算時間」とは、ランプ５００が製造後最初に使用された後のトータルの使用時間であって、最初に使用された後、現在までに点灯した時間を全て加算したものである。
【００８０】
使用経歴データは、同図（ｃ）に示す如く、動作不良に関するフラグと使用可否に関するフラグを含んでいる。ここで、動作不良に関するフラグは、当該ランプ５００が過去に１回でも点灯しなかったことがあると“１”とされ、点灯しなかったことが全くなかった場合には“０”とされる。また、使用可否に関するフラグは、過去に所定回数以上点灯しないために当該ランプ５００が使用不可とされた場合に“１”とされ、そうでないときに“０”とされる。
【００８１】
同図（ａ）に戻り、コントローラ５４は、通信制御部６１と、記憶部６２と、点灯・消灯検出部６３と、時間計測部６４と、演算部６５と、使用可否判定部６６と、報知部６７と、使用可否更新部６８とを有する。
【００８２】
通信制御部６１は、スイッチ５４ａを切り替え制御して、ランプユニット１０ａ、１０ｂに配された回路部７０５のうち何れか一方と通信路を確立する。そして、通信路を確立した回路部７０５の記憶部７１ａ、７１ｂから上記ランプ管理情報を取得する。
【００８３】
記憶部６２は、通信制御部６１によって取得されたランプ管理情報を格納する。記憶部６２に格納されたランプ管理情報は、ランプ使用時に、演算部６５と使用可否更新部６８による処理によって随時更新される。なお、記憶部６２は、上記メモリ５５内にランプ管理情報の記憶領域を設定する。
【００８４】
点灯・消灯検出部６３は、ランプ電源５１から供給されるランプ点灯の判定結果をもとに、点灯対象のランプ５００の点灯開始と点灯終了を判定する。具体的には、ランプ５００の駆動動作時に、ランプ電源５１からランプ５００が点灯状態にあることを示す判定結果が供給され始めたタイミングでランプ５００の点灯が開始したことを検出し、その後、ランプ電源５１からランプ５００が消灯状態になったことを示す判定結果が供給されたタイミングでランプ５００の点灯終了を検出する。なお、ランプ５００の切り替え時や投写動作の終了時等、ランプ５００の点灯動作が終了される場合、点灯・消灯検出部６３は、ランプ５００への電力供給が停止されたタイミングにおいてランプ５００の消灯を検出する。
【００８５】
時間計測部６４は、点灯・消灯検出部６３からの点灯開始信号が入力されると時間の計測を開始し、一定時間間隔で、計測結果を演算部６５に受け渡す。また、時間計測部６４は、点灯・消灯検出部６３からの点灯終了信号が入力されると時間の計測を終了し、終了時点の計測結果を演算部６５に受け渡す。
【００８６】
演算部６５は、記憶部６２に格納されたランプ管理情報のうち積算時間データと、時間計測部６４から入力される経過時間の計測結果をもとに積算時間データを更新し、更新した積算時間データを記憶部６２に書き戻す。
【００８７】
使用可否判定部６６は、記憶部６２に格納されたランプ管理情報のうちランプ識別データを参照して点灯対象のランプ５００が自身（プロジェクタ）に適合するかを判定し、判定結果を報知部６７に受け渡す。使用可否判定部６６は、予め、自身（プロジェクタ）に適合するランプのランプ識別データをリストとして保持しており、記憶部６２に格納されたランプ識別データが当該リスト中に含まれるかによって、当該ランプ５００の適合の可否を判定する。
【００８８】
さらに、使用可否判定部６６は、記憶部６２に格納されたランプ管理情報のうち使用経歴データを参照して点灯対象のランプ５００が使用可能かを判定し、判定結果を報知部６７に受け渡す。具体的には、使用経歴データ中の使用可否フラグ（同図（ｃ）参照）を参照し、使用可否フラグが“１”であれば、当該ランプ５００を使用できないと判定する。
【００８９】
報知部６７は、使用可否判定部６６からの判定結果が不適合または使用不可を示すものである場合に、その旨をユーザに報知するための処理を行う。たとえば、かかる報知は、プロジェクタの表示部に表示され、あるいは、音声によって出力される。なお、このように点灯対象のランプユニットが当該プロジェクタに不適合あるいは使用不可である場合には、このランプユニットは点灯されずに、ユーザに対して上記報知が行われる。
【００９０】
使用可否更新部６８は、記憶部６２に格納されたランプ管理情報のうち使用経歴データを、当該ランプ５００の使用状況に応じて更新する。すなわち、使用可否更新部６８は、当該ランプ５００の点灯動作開始時に、ランプ電源５１からランプ５００が点灯状態になったことを示す判定結果が一定時間供給されないか、あるいは、点灯動作中に、ランプ電源５１からランプ５００が消灯状態になったことを示す判定結果が供給されたことに応じて、記憶部６２に格納された使用経歴データを参照する。そして、使用可否更新部は、動作不良フラグが“０”にある場合には、動作不良フラグを“１”に更新するとともに動作不良の回数を１とし、動作不良フラグが既に“１”である場合には、動作不良の回数に１を加算するとともに加算後の回数が閾値回数を超えれば使用可否フラグを“１”とする。
【００９１】
なお、こうして使用経歴データが更新されると、通信制御部６１は、その都度、かかる更新結果を、対応するランプユニット１０ａ、１０ｂの記憶部７１ａ、７１ｂに書き戻す。また、このようにランプ５００の点灯に不具合が生じた場合には、当該ランプ５００に対する点灯が中止される。
【００９２】
次に、図１２を参照して、使用積算時間の更新処理動作について説明する。なお、同図の処理フローは、ランプユニット１０ａまたは１０ｂからランプ管理情報を読み出すことができたときに行われるものであって、ランプユニット１０ａまたは１０ｂからランプ管理情報を読み出すことができなかった場合には、図１３による処理が行われる。
【００９３】
ユーザからの操作入力により投写動作が開始されると（Ｓ１０１：ＹＥＳ）、通信制御部６１は、点灯対象とされるランプユニット１０ａまたは１０ｂの回路部７０５との間で通信路を確立する（Ｓ１０２）。そして、通信制御部６１は、通信路を確立した回路部７０５と通信を行い（Ｓ１０３）、当該回路部７０５の記憶部７１ａまたは７１ｂからランプ管理情報を読み出し（Ｓ１０４）、読み出したランプ管理情報で記憶部６２を初期化する（Ｓ１０５）。
【００９４】
しかる後、使用可否判定部６６は、記憶部６２に格納されたランプ管理情報中のランプ識別データと使用経歴データ（使用可否フラグ）を参照し、上記の如く、点灯対象のランプユニット１０ａまたは１０ｂが、自身（プロジェクタ）に適合するか、および、使用可能かを判定する（Ｓ１０６）。ここで、不適合または使用不可であれば（Ｓ１０６：ＮＯ）、上記の如く当該ランプユニットの点灯を行わずに、当該ランプユニットが使用不可であることの報知を行う（Ｓ１０７）。他方、不適合または使用不可でなければ（Ｓ１０６：ＹＥＳ）、当該ランプユニット１０ａまたは１０ｂの点灯が開始される（Ｓ１０８）。
【００９５】
こうして、点灯対象のランプユニット１０ａまたは１０ｂに対する点灯が開始されると、時間計測部６４による経過時間の計測が開始される。これと同時に、演算部６５は、時間計測部６４による計測時間と記憶部６２に格納された積算時間データをもとに当該ランプユニット１０ａまたは１０ｂの使用積算時間を更新する。そして、更新した使用積算時間を、随時、記憶部６２に上書きするとともに、当該ランプユニット１０ａまたは１０ｂの記憶部７１ａまたは７１ｂに書き戻す（Ｓ１０９）。かかる使用積算時間の更新記憶は、当該ランプユニット１０ａまたは１０ｂの点灯が停止されるか（Ｓ１１０：ＹＥＳ）、点灯対象のランプユニットがユーザにより、あるいは自動で切り替えられる（Ｓ１１１：ＹＥＳ）まで継続される。
【００９６】
当該ランプユニット１０ａまたは１０ｂの点灯動作が、当該ランプユニットの不具合により、あるいは、ユーザの指令によって停止されると（Ｓ１１０：ＹＥＳ）、当該ランプユニット１０ａまたは１０ｂの点灯が終了される（Ｓ１１２）。ここで、不具合による終了は、上記のように、ランプ電源５１からの判定結果に基づいて行われる。この場合、上記の如く、使用可否更新部６８により使用経歴データが更新され、更新後の使用経歴データが当該ランプユニット１０ａまたは１０ｂの記憶部７１ａまたは７１ｂに書き戻される。
【００９７】
Ｓ１１２にてランプユニット１０ａまたは１０ｂの点灯が終了されると、時間計測部６４と演算部６５における経過時間の計測と使用積算時間の演算が終了され、そのときの使用積算時間がランプユニット１０ａまたは１０ｂの記憶部７１ａ、７１ｂに書き戻される（Ｓ１１３）。その後、通信路が解除され（Ｓ１１４）、処理が終了する。
【００９８】
一方、Ｓ１１１にて、使用対象のランプユニットが切り替えられたと判別されると（Ｓ１１１：ＹＥＳ）、当該ランプユニット１０ａまたは１０ｂの点灯が終了される（Ｓ１１５）。これに応じて、時間計測部６４と演算部６５における経過時間の計測と使用積算時間の演算が終了され、そのときの使用積算時間がランプユニット１０ａまたは１０ｂの記憶部７１ａ、７１ｂに書き戻される（Ｓ１１６）。そして、通信路が解除され（Ｓ１１７）、Ｓ１０２に戻って、切り替え後のランプユニット１０ａまたは１０ｂに対して、Ｓ１０２以降の処理が行われる。
【００９９】
次に、図１３を参照して、ランプユニット１０ａまたは１０ｂからランプ管理情報を読み出すことができなかった場合の処理について説明する。
【０１００】
図１２の場合と同様、ユーザからの操作入力により投写動作が開始されると（Ｓ１０１：ＹＥＳ）、通信制御部６１は、点灯対象とされるランプユニット１０ａまたは１０ｂの回路部７０５との間で通信路の確立を行う（Ｓ１２１）。ここで、一定時間内に（Ｓ１２３）、通信路が確立できれば（Ｓ１２２：ＹＥＳ）、図１２のＳ１０３に進み、通信制御部６１は、通信路を確立した回路部７０５と通信を行う。この場合、図１２のＳ１０４以降の処理が行われる。
【０１０１】
一定時間内に通信路を確立できなければ（Ｓ１２２：ＮＯ、Ｓ１２３：ＹＥＳ）、コントローラ５４は、点灯対象のランプユニット１０ａまたは１０ｂを低消費電力かつ低照度のモードにて点灯させ（Ｓ１２４）、投写画面に、適切なランプユニットが装着されていないことのメッセージと、このランプユニットの点灯を継続するかをユーザに選択させるための画像を表示させる（Ｓ１２５）。これに応じて、リモコンまたは本体キーを介してユーザから選択入力が行われ（Ｓ１２６：ＹＥＳ）、この選択入力が点灯中止を指示するものであると（Ｓ１２７：ＹＥＳ）、コントローラ５４は、当該ランプユニットを消灯させ、プロジェクタをスタンバイ状態に設定する（Ｓ１２８）。
【０１０２】
一方、ユーザからの選択入力が点灯継続を指示するものであるか（Ｓ１２７：ＮＯ）、あるいは、一定時間内にユーザから選択入力がなされない場合（Ｓ１２６：ＮＯ、Ｓ１２９：ＹＥＳ）、コントローラ５４は、投写画面に、このランプユニットが使用される場合にはプロジェクタの機能が制限されることのメッセージと、やはりこのランプユニットの点灯を継続するかをユーザに選択させるための画像を表示させる（Ｓ１３０）。
【０１０３】
なお、この場合に制限される機能として、ランプユニットの発光モードや点灯切り替えモードがあり、たとえば、ランプユニットの発光モードが低照度かつ低消費電力モードに固定されること、および、ランプユニットが所定の制御（たとえば一定時間毎）に従って自動で切り替えられる自動切り替えモードが設定不可であり、点灯対象のランプユニットが現在点灯中のランプユニットに固定されることが、メッセージとしてユーザに提示される。
【０１０４】
このメッセージに応じて、リモコンまたは本体キーを介してユーザから選択入力が行われ（Ｓ１３１：ＹＥＳ）、この選択入力が点灯中止を指示するものであると（Ｓ１３２：ＹＥＳ）、コントローラ５４は、当該ランプユニットを消灯させ、プロジェクタをスタンバイ状態に設定する（Ｓ１２８）。一方、ユーザからの選択入力が点灯継続を指示するものであるか（Ｓ１３２：ＮＯ）、あるいは、一定時間内にユーザから選択入力がなされない場合（Ｓ１３１：ＮＯ、Ｓ１３３：ＹＥＳ）、コントローラ５４は、当該ランプユニットを、上述の機能制限に従って、点灯させ続ける（Ｓ１３４）。
【０１０５】
以上、本実施の形態によれば、ランプユニット１０ａ、１０ｂにランプ管理情報を記憶する記憶部７１ａ、７１ｂが配され、これら記憶部７１ａ、７１ｂに保持されたランプ管理情報がランプユニット１０ａ、１０ｂの使用状況に応じて更新されるため、過去の使用経歴を反映したランプ管理情報をランプに保持させることができる。よって、ランプユニット１０ａ、１０ｂの使用時には、過去の使用経歴を反映したランプ管理情報をもとに、ランプ点灯を適正に制御することができる。
【０１０６】
本実施の形態では、ランプ管理情報として当該ランプの使用積算時間が保持されるため、たとえば、この情報をもとに、ランプの寿命を判定することができる。そして、その判定結果に応じて、たとえば、ユーザに寿命の到来や寿命の残存量を報知することができ、あるいは、使用するランプユニットを自動で切り替える等の制御を行うことができる。
【０１０７】
また、本実施の形態では、ランプ管理情報として当該ランプの使用の可否に関する情報（使用経歴データ）が保持されるため、上記の如く、ランプユニットの使用時に、当該ランプユニットの使用の可否を判定することができる。そして、その判定結果が使用不可である場合には、当該ランプユニットの点灯を行わないようにすることができる。これにより、ランプの無駄な点灯動作を回避することができる。
【０１０８】
さらに、本実施の形態では、ランプ管理情報として、当該ランプを識別するためのランプ識別データが保持されるため、上記の如く、ランプユニットの使用時に、当該ランプユニットが自身（プロジェクタ）に適合するかを判定することができる。そして、その判定結果が不適合である場合には、当該ランプユニットの点灯を行わないようにすることができる。これにより、不適合なランプに対する点灯動作を回避でき、ランプの破損等を未然に防止できる。
【０１０９】
以上、本発明の実施の形態について説明したが、本発明は、上記実施の形態に何ら制限されるものではない。また、本発明の実施形態は、上記以外に種々変更可能である。
【０１１０】
たとえば、上記実施の形態では、ランプユニットを２つ搭載可能なプロジェクタを例に挙げたが、ランプユニットの搭載数は、１つであってもよく、あるいは、３つ以上であっても良い。また、本発明に係るランプユニットは、プロジェクタ以外の製品にも適用可能である。
【０１１１】
また、上記実施の形態では、ランプユニットを管理するためのランプ管理情報として、図１１（ｂ）に示す３種のデータを示したが、さらにこれ以外の情報をランプ管理情報に含めることも可能である。たとえば、ランプの照度や色ムラ等、当該ランプの特性に関する情報をランプ管理情報として含めることができる。こうすると、プロジェクタ側でこの情報をもとに適宜投写画像の補正処理を行うことができ、投写画像の品質を向上させることができる。
【０１１２】
また、ランプユニットの名称、使用開始日、動作状態等に関する情報を、ユーザにより、適宜、ランプ管理情報に含め得るようにすることもできる。かかる情報は、たとえば、プロジェクタの操作部を介して入力され、あるいは、専用のインタフェースを介してパソコンから書き込むようにすることができる。こうすると、当該ランプユニットの固有情報を適宜ユーザが確認でき、ユーザの利便性を高めることができる。
【０１１３】
さらに、上記実施の形態では、使用毎に、使用対象のランプユニットからランプ管理情報を読み出し、読み出した管理情報で記憶部６２を初期化するようにしたが、記憶部６２の容量が十分に大きければ、２つのランプユニット１０ａ、１０ｂがそれぞれ装着された際にランプ管理情報を読み出して記憶部６２に格納するようにしても良い。
【０１１４】
この他、上記実施の形態では、ホルダ収容部８００に、メイン基板に中継するための回路基板９００が配されたが、ホルダ収容部８００近傍の、ランプホルダ６００側の基板保持部６４０に対応する位置にメイン基板を配することが可能であれば、メイン基板上のこの位置に、ランプホルダ６００のコネクタ７０６と接合するコネクタを配置するようにしても良い。なお、本発明のコネクタ部は、上記実施の形態に示す形態の他、メイン基板側とランプホルダ側からそれぞれ引き出された配線に取り付けられた２つのコネクタを互いに手指で接合させる形態のものとすることもできる。
【０１１５】
本発明の実施の形態は、特許請求の範囲に示された技術的思想の範囲内において、適宜、種々の変更が可能である。
【図面の簡単な説明】
【０１１６】
【図１】実施の形態に係るプロジェクタの概観を示す図
【図２】実施の形態に係る光学エンジンの構成を示す図
【図３】実施の形態に係るミラーユニットの構成を示す斜視図
【図４】実施の形態に係るランプユニットの構成を示す分解斜視図
【図５】実施の形態に係るランプユニットの構成を示す一部拡大図
【図６】実施の形態に係るランプユニットの回路基板の構成を示す図
【図７】実施の形態に係るランプユニットの取り付け方法を説明する斜視図
【図８】実施の形態に係るランプユニットの取り付け状態を示す斜視図
【図９】実施の形態に係るランプユニットの取り付け状態を示す一部断面図
【図１０】実施の形態に係るプロジェクタの回路構成を示す図
【図１１】実施の形態に係るコントローラとランプユニット側の回路部のシステム構成を示す図
【図１２】実施の形態に係る使用積算時間の更新処理を示すフローチャート
【図１３】実施の形態に係るランプ管理情報を読み出すことができなかった場合の処理を示すフローチャート
【符号の説明】
【０１１７】
１０ａ、１０ｂ  …  ランプユニット
５００  …  ランプ
６００  …  ランプホルダ
６４０  …  基板保持部
７００  …  回路基板
７０５  …  回路部（ランプ側回路部）
７０６  …  コネクタ
８００  …  ホルダ収容部
８２０  …  基板保持部
９００  …  回路基板
９０３  …  コネクタ
５４  …  コントローラ（本体側回路部）
５５  …  メモリ（本体側回路部）
６１  …  通信制御部（更新記憶部）
６３  …  点灯・消灯検出部（情報更新部）
６４  …  時間計測部（情報更新部）
６５  …  演算部（情報更新部）
６６  …  使用可否判定部（使用判定部、ランプ判定部）
６８  …  使用可否更新部（更新記憶部）
７１ａ、７１ｂ  …  記憶部（記憶部）
【図１】
2010113091.tif 000003
【図２】
2010113091.tif 000004
【図３】
2010113091.tif 000005
【図４】
2010113091.tif 000006
【図５】
2010113091.tif 000007
【図６】
2010113091.tif 000008
【図７】
2010113091.tif 000009
【図８】
2010113091.tif 000010
【図９】
2010113091.tif 000011
【図１０】
2010113091.tif 000012
【図１１】
2010113091.tif 000013
【図１２】
2010113091.tif 000014
【図１３】
2010113091.tif 000015